【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
第１の電子バリューを記憶し所定の金額変更情報を用いて当該第１の電子バリューの残高を増減する機能を有する貨幣端末と接続して、指定された決済金額分の決済処理を実行する情報処理サーバであって、
前記貨幣端末から識別データを取得する識別データ取得手段と、
前記取得した識別データに対応付けてサーバ側の記憶手段に記憶している第２の電子バリューにより前記指定された決済金額を決済するときに不足金額が生じると判定された場合に、前記第１の電子バリューの残高を少なくとも当該不足金額分だけ減額させるための金額変更情報を生成し前記貨幣端末に送信する不足金額減額手段と、
を具備したことを特徴とする情報処理サーバ。
【請求項２】
前記指定された決済金額より少なくとも前記不足金額だけ少ない金額を、前記第２の電子バリューの残高から減額する決済手段をさらに具備したことを特徴とする請求項１に記載の情報処理サーバ。
【請求項３】
前記第２の電子バリューの残高を少なくとも前記不足金額だけ増額し、かつ、当該増額後の第２の電子バリューの残高から前記不足分だけ減額する決済手段をさらに具備したことを特徴とする請求項１記載の情報処理サーバ。
【請求項４】
前記第１の電子バリューの残高が前記不足金額以上であると判定された場合に、前記第２の電子バリューの残高から前記指定された決済金額を減額する第１の決済手段と、
前記第２の電子バリューの残高を少なくとも前記不足金額だけ増額する第２の決済手段と、をさらに具備したことを特徴とする請求項１記載の情報処理サーバ。
【請求項５】
前記第２の電子バリューの残高には閾値金額が設定されており、
前記第２の電子バリューの残高から前記決済金額を減額した場合の残高が前記設定した閾値金額以下又は未満となる場合に、前記第２の電子バリューの残高から前記決済金額を減額した場合の残高と、前記設定した閾値金額との差額からなる不足金額が生じたと判断することを特徴とする請求項１、請求項２、請求項３又は請求項４に記載の情報処理サーバ。
【請求項６】
前記閾値金額が予め設定した条件に応じて変化することを特徴とする請求項５に記載の情報処理サーバ。
【請求項７】
前記第２の電子バリューの残高に対して予め予約されている最も近い将来の自動引き落とし金額以上の金額を前記閾値金額とすることを特徴とする請求項６に記載の情報処理サーバ。
【請求項８】
前記閾値金額を前記第２の電子バリューの残高と同額に設定することを特徴とする請求項６に記載の情報処理サーバ。
【請求項９】
前記第１の電子バリューには、第２の閾値金額が設定されており、当該残高から前記不足金額を減額した残高が前記第２の閾値金額以下又は未満となる場合、
前記不足金額減額手段は、当該残高の減額後の残高が前記第２の閾値金額を下回らないように減額し、
前記第１の電子バリューの減額額と前記不足金額との差額を前記第２の電子バリューの残高から減額することを特徴とする請求項５から請求項８までのうちの何れか１の請求項に記載の情報処理サーバ。
【請求項１０】
前記第１の電子バリューには、第２の閾値金額が設定されており、当該残高が前記第２の閾値金額に不足する場合、前記第２の電子バリューの残高から少なくとも当該不足分の金額を減額し、前記第１の電子バリューの残高に当該減額した金額を増額することを特徴とする請求項５から請求項８までのうちの何れか１の請求項に記載の情報処理サーバ。
【請求項１１】
第１の電子バリューを記憶し所定の金額変更情報を用いて当該第１の電子バリューの残高を増減する機能を有する貨幣端末と接続して、指定された決済金額分の決済処理を実行する情報処理方法であって、
前記貨幣端末から識別データを取得する識別データ取得ステップと、
前記取得した識別データに対応付けてサーバ側の記憶手段に記憶している第２の電子バリューにより前記指定された決済金額を決済するときに不足金額が生じると判定された場合に、前記第１の電子バリューの残高を少なくとも当該不足金額分だけ減額させるための金額変更情報を生成し前記貨幣端末に送信して不足金額減額する不足金額減額ステップ、
から構成されたことを特徴とする情報処理方法。
【請求項１２】
第１の電子バリューを記憶し所定の金額変更情報を用いて当該第１の電子バリューの残高を増減する機能を有する貨幣端末と接続して、指定された決済金額分の決済処理する機能をコンピュータで実現する情報処理プログラムであって、
前記貨幣端末から識別データを取得する識別データ取得機能と、
前記取得した識別データに対応付けてサーバ側の記憶手段に記憶している第２の電子バリューにより前記指定された決済金額を決済するときに不足金額が生じると判定された場合に、前記第１の電子バリューの残高を少なくとも当該不足金額分だけ減額させるための金額変更情報を生成し前記貨幣端末に送信して不足金額減額する不足金額減額機能、
をコンピュータで実現する情報処理プログラム。
【請求項１３】
第１の電子バリューを記憶し所定の金額変更情報を用いて当該第１の電子バリューの残高を増減する機能を有する貨幣端末と接続して、指定された決済金額分の決済処理する機能をコンピュータで実現する情報処理プログラムであって、
前記貨幣端末から識別データを取得する識別データ取得機能と、
前記取得した識別データに対応付けてサーバ側の記憶手段に記憶している第２の電子バリューにより前記指定された決済金額を決済するときに不足金額が生じると判定された場合に、前記第１の電子バリューの残高を少なくとも当該不足金額分だけ減額させるための金額変更情報を生成し前記貨幣端末に送信して不足金額減額する不足金額減額機能、
をコンピュータで実現する情報処理プログラムを記録した記録媒体。
【手続補正２】
【補正対象書類名】明細書
【補正対象項目名】０００９
【補正方法】変更
【補正の内容】
【０００９】
請求項１に記載の発明では、第１の電子バリューを記憶し所定の金額変更情報を用いて当該第１の電子バリューの残高を増減する機能を有する貨幣端末と接続して、指定された決済金額分の決済処理を実行する情報処理サーバであって、前記貨幣端末から識別データを取得する識別データ取得手段と、前記取得した識別データに対応付けてサーバ側の記憶手段に記憶している第２の電子バリューにより前記指定された決済金額を決済するときに不足金額が生じると判定された場合に、前記第１の電子バリューの残高を少なくとも当該不足金額分だけ減額させるための金額変更情報を生成し前記貨幣端末に送信する不足金額減額手段と、を具備したことを特徴とする情報処理サーバを提供する。
請求項２に記載の発明では、前記指定された決済金額より少なくとも前記不足金額だけ少ない金額を、前記第２の電子バリューの残高から減額する決済手段をさらに具備したことを特徴とする請求項１に記載の情報処理サーバを提供する。
請求項３に記載の発明では、前記第２の電子バリューの残高を少なくとも前記不足金額だけ増額し、かつ、当該増額後の第２の電子バリューの残高から前記不足分だけ減額する決済手段をさらに具備したことを特徴とする請求項１記載の情報処理サーバを提供する。
請求項４に記載の発明では、前記第１の電子バリューの残高が前記不足金額以上であると判定された場合に、前記第２の電子バリューの残高から前記指定された決済金額を減額する第１の決済手段と、前記第２の電子バリューの残高を少なくとも前記不足金額だけ増額する第２の決済手段と、をさらに具備したことを特徴とする請求項１記載の情報処理サーバを提供する。
請求項５に記載の発明では、前記第２の電子バリューの残高には閾値金額が設定されており、前記第２の電子バリューの残高から前記決済金額を減額した場合の残高が前記設定した閾値金額以下又は未満となる場合に、前記第２の電子バリューの残高から前記決済金額を減額した場合の残高と、前記設定した閾値金額との差額からなる不足金額が生じたと判断することを特徴とする請求項１、請求項２、請求項３又は請求項４に記載の情報処理サーバを提供する。
請求項６に記載の発明では、前記閾値金額が予め設定した条件に応じて変化することを特徴とする請求項５に記載の情報処理サーバを提供する。
請求項７に記載の発明では、前記第２の電子バリューの残高に対して予め予約されている最も近い将来の自動引き落とし金額以上の金額を前記閾値金額とすることを特徴とする請求項６に記載の情報処理サーバを提供する。
請求項８に記載の発明では、前記閾値金額を前記第２の電子バリューの残高と同額に設定することを特徴とする請求項６に記載の情報処理サーバを提供する。
請求項９に記載の発明では、前記第１の電子バリューには、第２の閾値金額が設定されており、当該残高から前記不足金額を減額した残高が前記第２の閾値金額以下又は未満となる場合、前記不足金額減額手段は、当該残高の減額後の残高が前記第２の閾値金額を下回らないように減額し、前記第１の電子バリューの減額額と前記不足金額との差額を前記第２の電子バリューの残高から減額することを特徴とする請求項５から請求項８までのうちの何れか１の請求項に記載の情報処理サーバを提供する。
請求項１０に記載の発明では、前記第１の電子バリューには、第２の閾値金額が設定されており、当該残高が前記第２の閾値金額に不足する場合、前記第２の電子バリューの残高から少なくとも当該不足分の金額を減額し、前記第１の電子バリューの残高に当該減額した金額を増額することを特徴とする請求項５から請求項８までのうちの何れか１の請求項に記載の情報処理サーバを提供する。
請求項１１に記載の発明では、第１の電子バリューを記憶し所定の金額変更情報を用いて当該第１の電子バリューの残高を増減する機能を有する貨幣端末と接続して、指定された決済金額分の決済処理を実行する情報処理方法であって、前記貨幣端末から識別データを取得する識別データ取得ステップと、前記取得した識別データに対応付けてサーバ側の記憶手段に記憶している第２の電子バリューにより前記指定された決済金額を決済するときに不足金額が生じると判定された場合に、前記第１の電子バリューの残高を少なくとも当該不足金額分だけ減額させるための金額変更情報を生成し前記貨幣端末に送信して不足金額減額する不足金額減額ステップ、から構成されたことを特徴とする情報処理方法を提供する。
請求項１２に記載の発明では、第１の電子バリューを記憶し所定の金額変更情報を用いて当該第１の電子バリューの残高を増減する機能を有する貨幣端末と接続して、指定された決済金額分の決済処理する機能をコンピュータで実現する情報処理プログラムであって、前記貨幣端末から識別データを取得する識別データ取得機能と、前記取得した識別データに対応付けてサーバ側の記憶手段に記憶している第２の電子バリューにより前記指定された決済金額を決済するときに不足金額が生じると判定された場合に、前記第１の電子バリューの残高を少なくとも当該不足金額分だけ減額させるための金額変更情報を生成し前記貨幣端末に送信して不足金額減額する不足金額減額機能、をコンピュータで実現する情報処理プログラムを提供する。
請求項１３に記載の発明では、第１の電子バリューを記憶し所定の金額変更情報を用いて当該第１の電子バリューの残高を増減する機能を有する貨幣端末と接続して、指定された決済金額分の決済処理する機能をコンピュータで実現する情報処理プログラムであって、前記貨幣端末から識別データを取得する識別データ取得機能と、前記取得した識別データに対応付けてサーバ側の記憶手段に記憶している第２の電子バリューにより前記指定された決済金額を決済するときに不足金額が生じると判定された場合に、前記第１の電子バリューの残高を少なくとも当該不足金額分だけ減額させるための金額変更情報を生成し前記貨幣端末に送信して不足金額減額する不足金額減額機能、をコンピュータで実現する情報処理プログラムを記録した記録媒体を提供する。